(57)【要約】【課題】  屋外又は屋内で短い時間しか使用しない場合においても、必要以上に熱源が発熱し、薬剤を保持する部材に含まれる薬剤が揮散することを抑制して、１回だけでなく複数回使用することができ、さらに、乳幼児が薬剤を保持する部材を、取り出せないようにしながらも薬剤を揮散させることができる害虫駆除具を提供することを目的とする。【解決手段】収容容器１と、収容容器１の内部に収納され、酸素によって発熱する発熱体２１を有する熱源２と熱源２の外表面に設けられ、害虫駆除剤を有する薬剤保持部３を備え、収容容器１が、収容容器１の内外を連通する通気孔１１１と、通気孔１１１を開閉自在の蓋部１２を備えることにより解決することができた。【選択図】図１
2017131112.tif 000002
【特許請求の範囲】
【請求項１】
収容容器と、
前記収容容器の内部に収納され、酸素によって発熱する発熱体を有する熱源と
前記熱源の外表面に設けられ、害虫駆除剤を有する薬剤保持部を備え、
前記収容容器が、前記収容容器の内外を連通する通気孔と、前記通気孔を開閉自在の蓋部を備えることを特徴とする加熱蒸散型害虫駆除具。
【請求項２】
前記害虫駆除剤は、揮発性を備え、ピレスロイド系化合物又は天然精油成分の少なくとも一方であることを特徴とする請求項１記載の加熱蒸散型害虫駆除具。
【請求項３】
前記薬剤保持部は、前記害虫駆除剤が含浸された薬剤含浸層、前記薬剤含浸層を支持して当接する支持層、前記熱源の外表面に接着する粘着層の複数層からなることを特徴とする請求項１又は請求項２記載の加熱蒸散型害虫駆除具。
【請求項４】
前記収容容器及び蓋部が、遮光性を有することを特徴とする請求項１から請求項３のいずれかに記載の加熱蒸散型害虫駆除具。
【請求項５】
前記収容容器及び蓋部が、金属又は酸化金属化合物により蒸着されていること、紫外線吸収剤が混練されていること、着色されていることから選ばれる少なくとも１種の加工が施されていることを特徴とする請求項１から請求項４のいずれかに記載の加熱蒸散型害虫駆除具。
【請求項６】
前記薬剤保持部が、外表面に周囲と光の屈折率が異なる標識部を備え、前記害虫駆除剤の減少に応じて前記標識部に設けられた文字、図形、記号から選ばれる１つ又は２つ以上を浮かび上がらせることを特徴とする請求項１から請求項５のいずれかに記載の加熱蒸散型害虫駆除具。
【発明の詳細な説明】
【技術分野】
【０００１】
本発明は、屋外における活動時に、電気やガスを使用せずに化学反応熱により殺虫性成分を蒸散させ害虫を駆除する害虫駆除具に関する。
【背景技術】
【０００２】
従来、電気やガスなどの燃料を要するエネルギー源を使用せずに、屋外での活動時に、蚊、蝿、虻、蜂などの害虫から身を守るための駆除具が種々知られている。
【０００３】
例えば、特許文献１には、通気孔６を有する収納容器５の内部に、化学反応して熱を発する発熱体組成物３と、その外側に設けられた薬剤含浸体８を備え、発熱体組成物の化学反応熱を用いて薬剤含浸体８に含浸させた殺虫成分を蒸散させて使用する殺虫器具及び殺虫方法が開示されている。
【先行技術文献】
【特許文献】
【０００４】
【特許文献１】特開２００１−３１６２０３号公報
【発明の概要】
【発明が解決しようとする課題】
【０００５】
しかしながら、特許文献１に記載の発明では、収納容器の本体や蓋部に多くの通気孔が設けられているが、これらを封じるための手段が設けられていない。このため、例えば、少しの時間だけ庭の家庭菜園で作業しようとするときにおいて、作業が終わった後にも発熱体組成物の化学反応が終了するまで発熱が続くこととなり、必要以上に薬剤含浸体から殺虫成分が揮散することとなり、無駄になることがあった。また、無駄になることを防ぐために、薬剤含浸体を取り外せば、殺虫成分の揮散を抑制することはできるとしても、少なくとも発熱体組成物の化学反応を抑制することができないため、やはり発熱体組成物が不必要に化学反応を継続するものであった。
【０００６】
さらに、特許文献１に記載の発明では、収容容器の本体に蓋部が設けられているため、乳幼児が誤って蓋部を取り外し、内部の薬剤含浸体に手を触れる可能性があった。乳幼児においては、手で触れたものを口にもっていく習性があるものから、殺虫成分を誤って吸入する恐れがあった。
【０００７】
そこで、本発明では、屋外又は屋内で短い時間しか使用しない場合においても、必要以上に熱源が発熱し、薬剤を保持する部材に含まれる薬剤が揮散することを抑制して、１回だけでなく複数回使用することができ、さらに、乳幼児が薬剤を保持する部材を、取り出せないようにしながらも薬剤を揮散させることができる害虫駆除具を提供することを目的とする。
【課題を解決するための手段】
【０００８】
〔１〕すなわち、本発明は、収容容器と、前記収容容器の内部に収納され、酸素によって発熱する発熱体を有する熱源と前記熱源の外表面に設けられ、害虫駆除剤を有する薬剤保持部を備え、前記収容容器が、前記収容容器の内外を連通する通気孔と、前記通気孔を開閉自在の蓋部を備えることを特徴とする加熱蒸散型害虫駆除具である。
【０００９】
〔２〕そして、前記害虫駆除剤は、揮発性を備え、ピレスロイド系化合物又は天然精油成分の少なくとも一方であることを特徴とする前記〔１〕に記載の加熱蒸散型害虫駆除具である。
【００１０】
〔３〕そして、前記薬剤保持部は、前記害虫駆除剤が含浸された薬剤含浸層、前記薬剤含浸層を支持して当接する支持層、前記熱源の外表面に接着する粘着層の複数層からなることを特徴とする前記〔１〕又は前記〔２〕に記載の加熱蒸散型害虫駆除具である。
【００１１】
〔４〕そして、前記収容容器及び蓋部が、遮光性を有することを特徴とする前記〔１〕から前記〔３〕のいずれかに記載の加熱蒸散型害虫駆除具である。
【００１２】
〔５〕そして、前記収容容器及び蓋部が、金属又は酸化金属化合物により蒸着されていること、紫外線吸収剤が混練されていること、着色されていることから選ばれる少なくとも１種の加工が施されていることを特徴とする前記〔１〕から前記〔４〕のいずれかに記載の加熱蒸散型害虫駆除具である。
【００１３】
〔６〕そして、前記薬剤保持部が、外表面に周囲と光の屈折率が異なる標識部を備え、前記害虫駆除剤の減少に応じて前記標識部に設けられた文字、図形、記号から選ばれる１つ又は２つ以上を浮かび上がらせることを特徴とする前記〔１〕から前記〔５〕のいずれかに記載の加熱蒸散型害虫駆除具である。
【発明の効果】
【００１４】
本発明によれば、屋外又は屋内で短い時間しか使用しない場合においても、必要以上に熱源が発熱し、薬剤を保持する部材に含まれる薬剤が揮散することを抑制して、１回だけでなく複数回使用することができ、さらに、乳幼児が薬剤を保持する部材を、取り出せないようにしながらも薬剤を揮散させることができる。
【図面の簡単な説明】
【００１５】
【図１】本発明の一実施形態における斜視である。
【図２】本発明の一実施形態におけるＡ−Ａ線断面図である。
【図３】本発明の一実施形態における熱源（一部破断）と薬剤保持部に関する分解斜視図である。
【図４】本発明の一実施形態におけるＢ−Ｂ線断面図である。
【発明を実施するための形態】
【００１６】
以下、本発明の加熱蒸散型害虫駆除具に関する実施形態について詳しく説明する。なお、説明中における範囲を示す表記のある場合は、上限と下限を含有するものである。
【００１７】
本発明の一実施形態における加熱蒸散型害虫駆除具は、図１及び図２に示すように、収容容器１の内部に、熱源２と薬剤保持部３を収容するものである。そして、薬剤保持部３は熱源２に貼り付けられており、熱源２と薬剤保持部３とは密着している。
【００１８】
収容容器１は、熱源２と薬剤保持部３を密封する袋状の容器である。本実施形態において、収容容器１は、袋状であるが他の実施形態において箱状などとすることもできる。
【００１９】
そして、収容容器１の一側面には開口が設けられ、その開口を塞ぐ部材１１に収容容器１の内外を貫通する複数の通気孔１１１が穿孔されている。この通気孔１１１から、薬剤保持部に含まれる害虫駆除剤が収容容器１の外部に拡散される。このように、収容容器１、収容容器１の開口を塞ぐ部材１１により、外部から害虫駆除剤を含む薬剤保持部３に直接触ることができない構造を有するため、乳幼児が薬剤保持部３を口に入れてしまい害虫駆除剤を誤飲することを未然に防いでいる。なお、本実施形態において、通気孔１１１は直径が数ｍｍから数ｃｍ程度の円形の孔として図示されているが、害虫駆除剤が収容容器１の外部に拡散されれば、他の実施形態において複数の繊維によって編まれた網目状とすることもできる。
【００２０】
そして、収容容器１の一側面における開口を封じる蓋部１２が設けられており、蓋部１２は通気孔１１１を塞いだり開放したりする部材である。蓋部１２の裏面、すなわち収容容器１と当接する面における収容容器１と当接する箇所には、粘着剤が設けられており、通気孔１１１を開閉自在とすることができる。蓋部１２を収容容器１に密着させて、通気孔１１１に蓋をすることにより、害虫駆除剤が収容容器１から外部に拡散することを防ぎ、また、同時に空気中の酸素を収容容器１の内部に流入することを防ぐ。このため、本発明を使用しないとき、蓋部１２で通気孔１１１を閉めておけば、熱源２における酸化による発熱を抑制できるので熱源２を必要以上に消耗しないようにすることができ、そして、熱源２により加熱されなくなるので薬剤保持部３から害虫駆除剤が不必要に揮発することを防ぐことができる。また、害虫駆除剤が揮発したとしても、収容容器１の内部に留めておき、収容容器１の外部に拡散することを防止することができる。一方、蓋部１２は、収容容器１から完全に剥がして通気孔１１１の全てを収容容器１の内外を連通するよう開放することもできるし、また、収容容器１から半分程度剥がして通気孔１１１の半分程度を同様に開放することもできる。このように、蓋部１２の開閉によって、熱源２における酸化による発熱がなくなるまで、又は、薬剤保持部３に含まれる害虫駆除剤がなくなるまで、複数回に亘って使用することができる。なお、本実施形態において、蓋部１２は収容容器１と分離可能な別体として図示されているが、蓋部１２が通気孔１１１を開閉自在とする限りにおいて、他の実施形態において蓋部１２を収容容器１と一体として設けることもできる。
【００２１】
そして、収容容器１と蓋部１２の材料は、ポリエチレン、ナイロン、ポリウレタンなど熱可塑性樹脂からなるフィルムであることが好ましい。そして、それら収容容器１と蓋部１２の材料は、熱可塑性樹脂にアルミニウム、シリカ、アルミナなどの金属、酸化金属化合物が蒸着されていること、ベンゾトリアゾール系化合物、ベンゾフェノン系化合物、サリシレート系化合物、シアノアクリルレート系化合物、ニッケル系化合物、トリアジン系化合物などの紫外線吸収剤が混練されていること、白、青、緑の顔料や染料により着色されていることから選ばれる少なくとも１種の加工が施されていることがさらに好ましい。収容容器１と蓋部１２の材料が上記の加工が施されていることにより、遮光性を有する。すなわち、収容容器１と蓋部１２の内部へ太陽光などに含まれる紫外線などが透過することを防止、又は低減することができるので、薬剤保持部３に含まれる害虫駆除剤の分解などを抑制することができる。また、金属、酸化金属化合物が蒸着されていると、遮光性とともにガスバリア性も併せ持つため、収容容器１と蓋部１２の外部から内部へ酸素が透過することを防ぎ、熱源２の酸化による発熱を抑制することができる。
【００２２】
熱源２は、酸素によって発熱する発熱体２１と通気性のある包装体２２とを有するものである。発熱体２１は、酸素による酸化反応で生じる反応熱によって発熱する粉末状又は粒状の物質である。具体的には、酸化反応する鉄粉、空気を吸着する活性炭、水分、吸水性化合物などからなる複合物である。鉄粉等の金属が空気中の酸素と反応して発熱する。そして、それらの配合量を調整することで、発熱するときの温度及び発熱する時間をある程度制御することができる。
【００２３】
包装体２２は、酸素を透過する通気性を有し、袋状のものである。その内部に発熱体２１を収容する。包装体２２としては、通気性は有するが発熱体２１を漏洩しない不織布などを使用することができる。使用時には、発熱体２１の発熱を受けて包装体２２が加熱され、さらにその熱を包装体２２に密着する薬剤保持部３に伝えることとなる。
【００２４】
本発明で使用される熱源２は、市販の使い捨てカイロであることが好ましい。また、発熱体２１が発熱したときにおける熱源２の外表面の温度は４０から７０℃、また発熱持続時間が８から２４時間程度であることが好ましい。
【００２５】
薬剤保持部３は、害虫駆除剤が含浸された薬剤含浸層３１、薬剤含浸層３１を支持する支持層３２、熱源２の外表面に固定する粘着層３３などを含む多層構造を有しており、一例といて図４に示すように、最外層に薬剤含浸層３１と粘着層３３が位置し、その間に支持層３２が挟まれる３層構造を有している。
【００２６】
薬剤含浸層３１は、内部に隙間がある網目構造を有しており、その隙間に害虫駆除剤を表面張力などで保持する部材である。薬剤含浸層３１の材質は、ポリオレフィン繊維、アラミド繊維、ポリエステル繊維、ビニロン繊維、ナイロン繊維、レーヨン繊維などから選ばれる１つ又は２以上であることが好ましい。また、薬剤含浸層３１における網目は、規則性を有していても不規則であってもよい。また、薬剤含浸層３１の大きさについては、含浸させる害虫駆除剤の量に応じて種々変更することができる。
【００２７】
そして、薬剤含浸層３１に含浸される害虫駆除剤は、揮発性を備え、ピレスロイド系化合物又は天然精油成分の少なくとも一方であることが好ましい。これらの成分であれば、蚊、蝿、虻、蜂などの害虫に対して、殺虫効果や忌避効果を有するとともに、熱源２からの熱により袋状容器１からも拡散されやすいので好ましい。
【００２８】
ピレスロイド系化合物としては、天然ピレスロイドとして、ピレトリンＩ＜（１Ｒ，３Ｒ）−２，２−ジメチル−３−（２−メチル−１−プロペニル）シクロプロパンカルボン酸（１Ｓ）−２−メチル−４−オキソ−３−（２Ｚ）−２，４−ペンタジエニル−２−シクロペンテン−１−イルエステル＞、ピレトリンＩＩ＜（１Ｒ，３Ｒ）−３−［（１Ｅ）−３−メトキシ−２−メチル−３−オキソ−１−プロペニル］−２，２−ジメチルシクロプロパンカルボン酸（１Ｓ）−２−メチル−４−オキソ−３−（２Ｚ）−２，４−ペンタジエニル−２−シクロペンテン−１−イルエステル＞、シネリンＩ＜（１Ｒ，３Ｒ）−２，２−ジメチル−３−（２−メチル−１−プロペニル）シクロプロパンカルボン酸（１Ｓ）−３−（２Ｚ）−（２−ブテニル）−２−メチル−４−オキソ−２−シクロペンテン−１−イルエステル＞、シネリンＩＩ＜（１Ｒ，３Ｒ）−３−［（１Ｅ）−３−メトキシ−２−メチル−３−オキソ−１−プロペニル］−２，２−ジメチルシクロプロパンカルボン酸（１Ｓ）−３−（２Ｚ）−（２−ブテニル）−２−メチル−４−オキソ−２−シクロペンテン−１−イルエステル＞、ジャスモリンＩ＜（１Ｒ，３Ｒ）−２，２−ジメチル−３−（２−メチル−１−プロペニル）シクロプロパンカルボン酸 （１Ｓ）−２−メチル−４−オキソ−３−（２Ｚ）−２−ペンテニル−２−シクロペンテン−１−イルエステル＞、ジャスモリンＩＩ＜（１Ｒ，３Ｒ）−３−［（１Ｅ）−３−メトキシ−２−メチル−３−オキソ−１−プロペニル］−２，２−ジメチルシクロプロパンカルボン酸 （１Ｓ）−２−メチル−４−オキソ−３−（２Ｚ）−２−ペンテニル−２−シクロペンテン−１−イルエステル＞、合成ピレスロイドとして、アレスリンＩ＜２，２−ジメチル−３−（２−メチル−１−プロペニル）シクロプロパンカルボン酸２−メチル−４−オキソ−３−（２−プロペニル）−２−シクロペンテン−１−イルエステル＞、アレスリンＩＩ＜３−（３−メトキシ−２−メチル−３−オキソ−１−プロペニル）−２，２−ジメチルシクロプロパンカルボン酸２−メチル−４−オキソ−３−（２−プロペニル）−２−シクロペンテン−１−イルエステル＞、フタルスリン（別名；Ｄ−テトラメトリン）＜（１，３−ジオキソ−４，５，６，７−テトラヒドロイソインドリン−２−イル）メチル＝２，２−ジメチル−３−（２−メチルプロパ−１−エン−１−イル）シクロプロパン−１−カルボキシラート＞、レスメトリン＜（５−ベンジル−３−フリル）メチル＝２，２−ジメチル−３−（２−メチルプロパ−１−エン−１−イル）シクロプロパンカルボキシラート＞、フェノトリン＜３−フェノキシベンジル＝２−ジメチル−３−（メチルプロペニル）シクロプロパンカルボキシラート＞、ペルメトリン＜３−フェノキシベンジル＝３−（２，２−ジクロロビニル）−２，２−ジメチルシクロプロパンカルボキシラート＞、シフェノトリン＜シアノ（３−フェノキシフェニル）メチル＝２，２−ジメチル−３−（２−メチルプロパ−１−エン−１−イル）シクロプロパンカルボキシラート＞、エトフェンプロックス＜４−（４−エトキシフェニル）−４−メチル−１−（３−フェノキシフェニル）−２−オキサペンタン＞、���トフルトリン＜２，２−ジメチル−３−（２−メチルプロパ−１−エン−１−イル）シクロプロパンカルボン酸=２，３，５，６−テトラフルオロ−４−（メトキシメチル）ベンジル＞、トランスフルトリン＜（１Ｒ，３Ｓ）−３−［（Ｅ）−２，２−ジクロロビニル］−２，２−ジメチルシクロプロパンカルボン酸=２，３，５，６−テトラフルオロベンジル＞、シフルトリン＜シアノ（４−フルオロ−３−フェノキシフェニル）メチル＝３−（２，２−ジクロロビニル）−２，２−ジメチルシクロプロパン−１−カルボキシラート＞、などが好ましい。そして、上記のうちペルメトリン、フェノトリン、アレスリン、フタルスリン、レストメトリン、メトフルトリン、トランスフルトリンが、より好ましく、さらに、メトフルトリン、トランスフルトリンが最も好ましい。また、上記のピレスロイド系化合物は１種類のみ、又は２種類以上組み合わせて用いることができる。
【００２９】
天然精油成分は、植物の枝葉、根茎、木皮、果実、花、つぼみ、樹脂などから得られる揮発性の油状物であり、水蒸気蒸留法、圧搾法、抽出法などで植物の各箇所より分離し、精製して得られる。
【００３０】
精油の原材料としては、種々挙げられるが、グレープフルーツ、ゼラニウム、ローズマリー、アニス、アルモワーズ、イランイラン、オレンジ、カナンガ、カモミール、カルダモン、カユプテ、クラリセージ、クローブ、コリアンダー、サイプレス、サンダルウッド、シダーウッド、シトロネラ、ジュニパーベリー、ジンジャー、スペアミント、セージ、ティートリー、ナツメグ、ネロリ、パインニードル、バジル、パチョリー、パルマローザ、フェンネル、ブラックペッパー、ペチグレン、ベチバー、ペパーミント，ベルガモット、マージョラム、マンダリン、ユーカリレモン、ライム、ラベンダー、レモン、レモングラス、ローズウッド、月桃葉油、桂皮油、薄荷油が好ましい。これら原材料から得られた精油は、害虫に対して有用な忌避効果を有する。
【００３１】
上記原料から得られる精油には、揮発性を有する種々の化合物が含有されている。グレープフルーツには、ｄ−リモネン、ミルセン、α−ピネンなどが含有されている。ゼラニウムには、シトロネロール、ゲラニオール、リナロールなどが含有されている。ローズマリーには、α−ピネン、カンファー、１，８−シネオールなどが含有されている。アニスには、（Ｅ）−アネトール、リモネン、アニスアルデヒドなどが含有されている。アルモアーズには、１，８−シネオール、ツジョン、ボルネオール、カンファー、ピネン、アルテミシニン（セスキテルペン・ラクトン）リナロール、ネロールなどが含有されている。イランイランには、リナロール、β−カリオレフィン、ゲルマクレンＤなどが含有されている。オレンジには、リモネン、ミルセン、β−ビサボレンなどが含有されている。カナンガには、カリオフィレン、酢酸ゲラニル、テルピネオールなどが含有されている。カモミールには、ファルネセン、カマズレン、α−ビサボロールオキサイドＢなどが含有されている。カルダモンには、１，８−シネオール、α−テルピニルアセテート、リモネンなどが含有されている。カユプテには、１，８−シネオール、α−テルピネオール、パラ−シメンなどが含有されている。クラリセージには、酢酸リナリル、リナロール、ゲルマクレンＤなどが含有されている。クローブには、オイゲノール、β−カリオフィレン、オイゲニルアセテートなどが含有されている。コリアンダーには、ｄ−リナロール、カンファー、α―ピネンなどが含有されている。サイプレスには、α―ピネン、δ−３−カレンなどが含有されている。サンダルウッドには、シス−α−サンタロール、シス−β−サンタロール、ｅｐｉ−β−サンタロールなどが含有されている。シダーウッドには、ツヨプセン、α−セドレン、セドロールなどが含有されている。シトロネラには、ゲラニオール、リモネン、シトロネロールなどが含有されている。ジュニパーベリーには、α−ピネン、ミルセン、β−ファルネセンなどが含有されている。ジンジャーには、ａｒ−クルクメン、α−ジンジベレン、β−セスキフェランドレンなどが含有されている。スペアミントには、（−）−カルボン、ジヒドロカルボン、１，８−シネオールなどが含有されている。セージには、α−ツヨン、β−ツヨン、カンファーなどが含有されている。ティートリーには、テルピネン−４−オール、γ−テルピネン、α−テルピネンなどが含有されている。ナツメグには、α−ピネン、サビネン、β−ピネンなどが含有されている。ネロリには、リナロール、リモネン、βピネンなどが含有されている。パインニードルには、α−ピネン、β−ピネン、ミルセンなどが含有されている。バジルには、リナロール、メチルチャビコール、β−カリオフィレンなどが含有されている。パチョリーには、パチュリアルコール、α−パチュレン、β−カリオフィレンなどが含有されている。パルマローザには、ゲラニオール、酢酸ゲラニル、リナロールなどが含有されている。フェンネルには、（Ｅ）−アネトール、リモネン、メチルチャビコールなどが含有されている。ブラックペッパーには、β−３−カリオフィレン、δ−３−カレン、リモネンなどが含有されている。ペチグレンには、リナリルアセテート、リナロール、α―テルピネオールなどが含有されている。ベチバーには、ベチベロール、ベチベン、α−ベチボールなどが含有されている。ベルガモットには、リモネン、リナリルアセテート、リナロールなどが含有されている。マージョラムには、テルピネン−４−オール、シス−サビネンヒドレート、パラ−シメンなどが含有されている。マンダリンには、リモネン、γ−テルピネン、β−ピネンなどが含有されている。ユーカリレモンには、シトロネラール、シトロネロール、シトラールなどが含有されている。ライムには、リモネン、γ−テルピネン、β−ピネンなどが含有されている。ラベンダーには、酢酸リナリル、リナロール、（Ｚ）−β−オシメンなどが含有されている。レモンには、リモネン、β−ピネン、γ−テルピネンなどが含有されている。レモングラスには、ゲラニアール、シトラール、エレモールなどが含有されている。ローズウッドには、リナロール、α−テルピネオール、シスーリナロールオキサイドなどが含有されている。ペパーミントには、ｌ−メントール、ｌ−メントン、メントフランなどが含有されている。桂皮油には、シンナムアルデヒド、ｔ−２−メトキシシンナムアルデヒド、クマリンなど含有されている。月桃葉油には、１，８−シネオール、テルピネン−４−オール、ｐ―サイメンなどが含有されている。薄荷油には、ｌ−メントール、ｌ−メントン、メントフランなどが含有されている。
【００３２】
また、上記のピレスロイド系化合物、天然精油成分を併用して用いることもできる。
【００３３】
支持層３２は、薬剤含浸層３１を支持し、薬剤保持部３の形状を保持する部材である。支持層３２の材質は、軽量化のためポリエチレン、ポリプロピレン、ポリエステルなどの合成樹脂からなることが好ましいが、熱伝導が良好な金属板を用いることができる。厚みは、薬剤保持部３の形状を保持しながらも熱源２から発せられた熱を薬剤含浸層３１に伝えるために、０．０１〜１０ｍｍであることが好ましい。
【００３４】
粘着層３３は、薬剤保持部３を熱源２に対して剥離可能に固定する部材である。粘着層３３の材質は、アクリル酸エステル共重合体などのアクリル系粘着剤、ウレタン樹脂などのウレタン系粘着剤であることが好ましい。
【００３５】
標識部４は、薬剤保持部３における薬剤含浸層３１の外表面に接着剤などで固設されており、薬剤含浸層３１に含浸された害虫駆除剤がおおよそ揮散したことを使用者に視認できるよう示す標識である。標識部４は、二酸化ケイ素（屈折率１．４５）、ゼオライト（屈折率１．４８）、カオリン（屈折率１．５６）、タルク（屈折率１．５７）、炭酸カルシウム（屈折率１．５８）、ポリスチレン（屈折率１．６）、ポリエチレン（屈折率１．５３）、メタクリル酸メチル樹脂（屈折率１．４９）などの白色又は透明などの微粒子によって構成され、図３に示すように「ＥＮＤ」という文字が描かれている。標識部４として、その他の例としては、「おわり」などの文字、「×」などの記号などを用いることができ、また、これらの文字、図形、記号を複数組み合わせて構成することもできる。
【００３６】
薬剤含浸層３１に害虫駆除剤が十分に含浸されているときには、害虫駆除剤の屈折率が１．４〜１．６と標識部４を構成する微粒子の屈折率と同様の値であることから、標識部４を構成する微粒子が害虫駆除剤に接触して濡れることにより、害虫駆除剤と標識部４が同化して、使用者は標識部４を視認することが難しい。一方、薬剤含浸層３１に害虫駆除剤がほとんど含浸されていないときには、標識部４を構成する微粒子が害虫駆除剤に接触せず周囲の空気（屈折率１．０）と接触することにより、標識部４を構成する微粒子と空気の屈折率の差が大きくなるため、使用者は標識部４を視認し易くなる。また、標識部４を視認し易くなるように、標識部４の微粒子の色と、薬剤含浸層３１の色を異なるようにすることが好ましい。
【符号の説明】
【００３７】
１・・・収容容器
１１・・開口を塞ぐ部材
１１１・通気孔
１２・・蓋部
２・・・熱源
２１・・発熱体
２２・・包装体
３・・・薬剤保持部
３１・・薬剤含浸層
３２・・支持層
３３・・粘着層
４・・・標識部
【図１】
2017131112.tif 000003
【図２】
2017131112.tif 000004
【図３】
2017131112.tif 000005
【図４】
2017131112.tif 000006